(57)【要約】      （修正有）【課題】マルチアクセスポイント環境における無線ローカルエリアネットワーク（ＷＬＡＮ）ユーザ品質を制御する方法及びシステムを提供する。【解決手段】ＷＬＡＮシステム１０において、アクセスポイント（ＡＰ）１１、１２は、連続的に又は間隔をあけて無線環境の品質を評価し、制御エンティティ１３に報告する。制御エンティティは、ＡＰ１１とステーション（ＳＴＡ）１４との間の現在の接続のリンク品質が所定の値を下回る場合に、使用される代替のターゲットＡＰ１１、１２を評価データから決定する。制御エンティティ１３は、次いで、ステーション１４との接続を能動的に切るようＡＰ１１に指示し、ステーション１４の接続要求を受け入れる新しいターゲットＡＰ１２を選択する。【選択図】図１
2020145704.tif 000002
【特許請求の範囲】
【請求項１】
第１アクセスポイント、少なくとも１つの第２アクセスポイント、制御エンティティ、及びステーションを含むマルチアクセスポイント無線ローカルエリアネットワーク環境におけるエクスペリエンスの無線ローカルエリアネットワーク（ＷＡＮ）ユーザ品質を制御する方法であって、前記第１アクセスポイントと前記少なくとも１つの第２アクセスポイントとの間に通信チャネルが構築され、前記ステーションが前記第１アクセスポイントに関連する、前記方法において、
前記制御エンティティが、前記第１アクセスポイントによって生成され公開されたリンク品質報告を受け取ることと、
前記制御エンティティが、前記少なくとも１つの第２アクセスポイントによって生成され公開された環境品質報告を受け取ることと、
前記制御エンティティが、該制御エンティティにより前記第１アクセスポイントから連続した受け入れられないリンク品質報告及び品質アラームを受け取ると、前記第１アクセスポイントに、アクセス制御リストを介して前記ステーションのメディアアクセスコントロール（ＭＡＣ）アドレスをブラックリストに登録させることと、
前記制御エンティティが、能動的に前記ステーションとの接続を切るよう前記第１アクセスポイントに指示することと、
前記制御エンティティが、前記受け取られた環境品質報告に基づき、前記少なくとも１つの第２アクセスポイントのうちの少なくとも１つを、前記ステーションを接続する新しいターゲットアクセスポイントとして決定することと、
前記制御エンティティが、前記少なくとも１つの第２アクセスポイントのうちの前記決定された少なくとも１つにおいて前記ステーションをホワイトリストに登録することと
を有する方法。
【請求項２】
前記制御エンティティが、能動的に前記ステーションとの接続を切るよう前記第１アクセスポイントに指示することによって、前記ステーションに、前記少なくとも１つの第２アクセスポイントの中の少なくとも１つの新しいターゲットアクセスポイントへ接続させること
を更に有する請求項１に記載の方法。
【請求項３】
前記制御エンティティが、前記リンク品質報告及び前記環境品質報告に基づきリンク品質スコアを計算すること
を更に有する請求項１又は２に記載の方法。
【請求項４】
前記制御エンティティが、最大物理レイヤ（ＰＨＹ）レート、物理的制限ＰＨＹレート、訓練された送信ＰＨＹレート、媒体ビジーインジケータ、総可用スループット（電力節約モード（ＰＳ）オフ）、及び可用スループット（電力節約モード（ＰＳ）オン）の値に基づき前記リンク品質スコアを計算すること
を更に有する請求項３に記載の方法。
【請求項５】
前記制御エンティティが、受入可能なリンクを受け入れられないリンクから離す閾値と前記リンク品質スコアを比較することを更に有し、前記閾値は、設定可能な整数閾値である、
請求項３又は４に記載の方法。
【請求項６】
前記制御エンティティが、前記無線ローカルエリアネットワーク環境に新たに組み込まれた追加のアクセスポイントを検出することと、
前記制御エンティティが、少なくとも１つの新たに組み込まれた不適格なアクセスポイントに、前記ブラックリストに登録されたメディアアクセスコントロール（ＭＡＣ）アドレスを知らせることと
を更に有する請求項１乃至５のうちいずれか一項に記載の方法。
【請求項７】
前記制御エンティティが、メディアアクセスコントロールアドレスをホワイトリストに登録するよう且つ前記少なくとも１つの新しいターゲットアクセスポイントへの前記ステーションの接続を有効にするよう新しいターゲットアクセスポイントとして適格な少なくとも１つのアクセスポイントに指示すること
を更に有する請求項５に記載の方法。
【請求項８】
第１期間の間前記ブラックリストを保持することと、
前記第１期間の経過後に前記ブラックリストから前記ステーションのメディアアクセスコントロール（ＭＡＣ）アドレスを削除することと
を更に有する請求項１乃至７のうちいずれか一項に記載の方法。
【請求項９】
第１アクセスポイント、少なくとも１つの第２アクセスポイント、ステーション、及び制御エンティティを含むマルチアクセスポイント無線ローカルエリアネットワーク環境におけるエクスペリエンスの無線ローカルエリアネットワーク（ＷＡＮ）ユーザ品質を制御するデータを供給する方法であって、前記第１アクセスポイントと前記少なくとも１つの第２アクセスポイントとの間に通信チャネルが構築され、前記制御エンティティが請求項１乃至８のうちいずれか一項に記載の方法を実施するよう構成され、該方法は、
前記ステーションが新しいターゲットアクセスポイントへ接続された後に、
前記第１アクセスポイント及び前記少なくとも１つの第２アクセスポイントのうちの少なくとも１つが、リンク品質報告を生成し、該リンク品質報告を少なくとも前記制御エンティティへ供給すること
を有する、方法。
【請求項１０】
前記リンク品質報告を生成するようアクティブスタイルリンク評価を使用することと、
前記ステーションが接続されるアクセスポイントとのデータ接続を強いることと、
レイヤ２メトリクスデータを前記制御エンティティへ送ることと
を更に有する請求項９に記載の方法。
【請求項１１】
より正確な診断をトリガするよう、試験下のリンクにおいて、前記制御エンティティによって設定された媒体可用性閾値を使用することと、
前記試験下のリンクにストレスを加えさせることと、
干渉、信号強度、及びＰＨＹレイヤ変則性による損失の概略を得ることと、
前記制御エンティティにより、実際の観測されたスループットを物理レイヤパラメータへリンクすることと
を更に有する請求項１０に記載の方法。
【請求項１２】
マルチアクセスポイント環境における無線ローカルエリアネットワーク（ＷＬＡＮ）ユーザ品質を制御する無線ローカルエリアネットワークシステムであって、
第１アクセスポイント（ＡＰ）と、
第２アクセスポイントであり、前記第１アクセスポイントと前記第２アクセスポイントとの間に通信チャネルが構築される、前記第２アクセスポイントと、
前記第１アクセスポイント及び前記第２アクセスポイントと通信する制御エンティティと
を有し、
前記第１アクセスポイント及び前記第２アクセスポイントは、リンク品質報告又は環境品質報告を生成し公開し、
前記制御エンティティは、前記リンク品質報告及び前記環境品質報告に基づきリンク品質スコアを計算する、無線ローカルエリアネットワークシステム。
【請求項１３】
前記第１アクセスポイント及び前記第２アクセスポイントと通信するステーションを更に有し、
前記第１アクセスポイントは、該アクセスポイントがプリセットされた閾値を下回るリンク品質スコアを有する場合に能動的に前記ステーションとの接続を切り、該ステーションに、前記閾値を上回るリンク品質スコアを有する他のアクセスポイントにローミングさせる、
請求項１２に記載の無線ローカルエリアネットワークシステム。
【請求項１４】
リンク品質報告又は環境品質報告を生成し制御エンティティへ公開し、該制御エンティティからのコマンドに基づき能動的にステーションとの接続を切るソフトウェアコードを有するアクセスポイント。
【請求項１５】
リンク品質報告及び環境品質報告に基づきリンク品質スコアを計算し、アクセスポイントから連続した受け入れられないリンク品質報告及び品質アラームを受け取ると、アクセス制御リストを介してステーションのメディアアクセスコントロール（ＭＡＣ）アドレスをブラックリストに登録するソフトウェアコードを有する制御エンティティ。
【発明の詳細な説明】
【技術分野】
【０００１】
本発明は、無線ローカルエリアネットワーク（ＷＬＡＮ；wireless  local  area  network）デバイス管理技術に概して関係があり、より具体的には、マルチアクセスポイント環境におけるエクスペリエンスのＷＬＡＮユーザ品質を制御する方法及びシステムに関係がある。
【背景技術】
【０００２】
エクスペリエンスの品質が最新の無線ローカルエリアネットワーク（ＷＬＡＮ）に対してより厳しい要件になるにつれて、単一の無線アクセスポイント（ＡＰ；access  point）では、エンドユーザによって求められている完全なサービスセットを提供することができないことが直ぐに明確になる。これに応じて、多くのＷＬＡＮはマルチアクセスポイント・アーキテクチャへ移行している。この傾向の直接的な結果として、業界は、ＷＬＡＮ中継デバイス、又はエクステンダー（extenders）と呼ばれる単純なアクセスポイントノードのいずれかの開発から始めた。よって、ＷＬＡＮは、強力に中央集権化されたアーキテクチャから分散アーキテクチャへ再形成されつつある。分散アーキテクチャでは、アクセスポイントノードの組み合わせは、必要とされるエクスペリエンスレベルの高い品質を確かにするようバックボーンを形成する。貧弱なカバレッジの問題はそのように扱われ得るが、一方で、信号強度又はその欠如と無関係である、分散アーキテクチャによる多種多様な更なる問題が存在する。
【０００３】
より多くのアクセスポイントがホーム又はプロフェッショナル環境で設置されるにつれて、それまで存在していなかった新たな問題が現れる。新しい分散ネットワークアーキテクチャは、夫々のエンドユーザ端末デバイス又はＷＬＡＮクライアント及び、従って、８０２．１１プロトコルを使用する能力を備えているデバイスであるステーション（ＳＴＡ；station）が、全体としてエクスペリエンス又はユーザエクスペリエンスの最良の品質を受けることを今や保証すべきである。そのような“品質確保機能（function  to  ensure  quality）”は、如何なる現在のＷＬＡＮ標準（ＩＥＥＥ（Institute  of  Electrical  and  Electronics  Engineers）８０２．１１又はＷＦＡ（Ｗｉ−Ｆｉアライアンス））においても存在せず、よって、ベンダー特有のソリューションに属する。
【０００４】
専門的な側面においては、ネットワークは、一般的に、インターネットプロトコル（ＩＰ；internet  protocol）レイヤ（Ｌ３）メトリクス（例えば、ラウンドトリップ（round  trip）遅延、平均スループット）及びＬ２メトリクス（例えば、パケット損失、ユーザの量）の混合に基づき管理される。留意されるべき重要な局面は、全ての管理技術がＡＰ中心である点であり、１つのＡＰから他のＡＰへのローミングは、ＡＰがその決定に干渉することなしに、個々のＳＴＡによって依然として独立して制御され得る。“制御”機能が、例えば、受信信号強度表示（ＲＳＳＩ；received  signal  strength  indicator）及び／又は物理レイヤ（ＰＨＹ；physical  layer）レートのような、何らかの簡単なＷＬＡＮメトリクスと組み合わせてＬ３／Ｌ２メトリクスのみを使用する場合に、例えば、隠れノード（hidden  node）又はローグ（rogue）無線周波数（ＲＦ；radio  frequency）干渉のような、特定のＷＬＡＮ変則性を検出することはできない。
【０００５】
家庭用の側面においては、品質制御は全く存在しない。ＳＴＡは、簡単な実装に基づきローミングする。これは、目下、（オープンソースの）ＷＬＡＮ管理コード（“Ｗｉ−Ｆｉプロテクテッド・アクセス（ＷＰＡ；Wi-Fi  protected  Access）サプリカント（supplicant）”）、すなわち、より“パワフル”なＡＰのための環境を再スキャンするためのＲＳＳＩレベルに基づいたトリガ、において組み込まれている。
【０００６】
全くの受信電力（ＲＳＳＩ）は、ＷＬＡＮの当業者によって認識されるように、信号品質のための優れた基準ではなく、ローミングするためのトリガ条件は、控えめに言っても悪い。これは、エンドユーザがローミング挙動をより賢いメカニズムへと変更することができないことと組み合わさって、ユーザエクスペリエンス制御の程度の差はあるが“最善努力”のアプローチを現在のところもたらす。
【０００７】
米国特許出願公開第２０１３／０２７２２８５（Ａ１）号（特許文献１）は、複数の重なり合うセルレイヤを含む異種ネットワークセルにおいてユーザ機器のハンドオーバーを協調させることを提供する。ネットワークコアのアクセスコントローラは、複数の重なり合うセルレイヤの中のあるセルレイヤのサービスセルによるユーザ機器のための信号品質に関する第１パラメータを受け取り、異種ネットワークセル内のユーザ機器の速度算定に基づき第２パラメータを受け取る。第１パラメータがセル境界を示す場合に、アクセスコントローラは、第２パラメータに基づき複数の重なり合うセルレイヤの中のあるセルレイヤのセル基地局へのハンドオフ決定を形成し、そのハンドオフ決定に基づきセル基地局へのハンドオフを開始する。
【０００８】
米国特許出願公開第２０１３／０２４４６５４（Ａ１）号（特許文献２）には、Ｗｉ−Ｆｉネットワークマネージャを用いてＷｉ−Ｆｉアクセスポイントを管理する方法を提供することが開示されている。測定データは、制御インターフェイスを介して複数のＷｉ−Ｆｉアクセスポイントから受け取られる。複数のアクセスポイントのうちの１つ以上に関連した１つ以上のＷｉ−Ｆｉパラメータへの最適化された調整は、ネットワーク最適化目標の組及び複数のアクセスポイントから受け取られた測定データに少なくとも部分的に基づき検索される。１つ以上のＷｉ−Ｆｉパラメータへの最適化された調整のうちの少なくとも一部は、制御インターフェイスにより複数のアクセスポイントのうちの１つ以上へ送られる。
【０００９】
マルチアクセスポイント（ＡＰ）ＩＥＥＥ８０２．１１ネットワーク（Ｗｉ−Ｆｉ）における現在のローミング決定は、インフラストラクチャの知識なしで各モバイルデバイス（ＳＴＡ）によって行われている。ローミング決定は、悪い接続品質とともに貧弱なローミング経験をもたらし得る。接続されているＳＴＡの夫々について個別的にユーザエクスペリエンス又はサービスの品質（quality  of  service）を制御するメカニズム又は方法は、現在のところ利用可能でない。
【先行技術文献】
【特許文献】
【００１０】
【特許文献１】米国特許出願公開第２０１３／０２７２２８５（Ａ１）号
【特許文献２】米国特許出願公開第２０１３／０２４４６５４（Ａ１）号
【発明の概要】
【００１１】
多くのＷＬＡＮがマルチアクセスポイント・アーキテクチャへ移るにつれて、夫々のステーション（ＳＴＡ）がローミング決定を個々に行うことを可能にすることよりもむしろ、全てのＳＴＡのための統合的制御機能が、先行技術の上記の問題を解決するための重要な特徴になりつつある。この統合的な制御機能は、目下の問題に対処するよう、何らかの無相関の物理レイヤ（ＰＨＹ）統計値と組み合わせてパケット／フレームカウンタに基づくよりもむしろリンク品質評価に基づくべきである。エクスペリエンスの一様に制御された品質を確かにするために、個々のアクセスポイントは、第１の段階で環境及び実際のリンク品質を評価し、第２の段階で制御エンティティ及び他のアクセスポイントとその情報をやり取りすべきである。
【００１２】
ユーザがモバイルデバイス（ＳＴＡ）によりローミングするマルチアクセスポイントＷｉ−Ｆｉセットアップにおけるサービス／ユーザエクスペリエンスの優れた品質を確かにするために、アクセスポイント（ＡＰ）は、連続的に又は間隔をあけて無線環境の品質（例えば、ノイズ、他のＡＰからの干渉、個々のＡＰ集中するトラフィック、同じチャネル上のＡＰ）を評価し、制御エンティティに報告する。制御エンティティは、ＡＰとＳＴＡとの間の現在の接続のリンク品質が予め定義された値を下回る場合に使用され得る代替の“候補”ＡＰを評価データから決定する。評価は、開放型システム間相互接続（ＯＳＩ；Open  Systems  Interconnection）レイヤ１及び２において行われる。制御エンティティは、次いで、例えば、然るべくＭＡＣフィルタ（ホワイトリスト又はブラックリスト）を設定することによって、ＳＴＡの接続要求を受け入れる又は拒絶するよう“候補”ＡＰを“準備する（primes）”。これは、レガシーのモバイルデバイスと完全に適合し、配置されたモバイルデバイスの如何なる更新も必要としないマルチＡＰ  Ｗｉ−Ｆｉネットワークにおける制御されたローミングを有効に構築する。
【００１３】
本発明の実施形態の利点は、信号強度だけでなく、リンクの実際の可能性が評価される点である。リンクの実際の可能性及び、よって、リンク品質又はユーザエクスペリエンスの品質に夫々基づき、ローミング決定は、全てのステーション（ＳＴＡ）が等しくローミングすることを確かにすることを、純粋なＲＳＳＩローミングと比較して余儀なくされ得る。
【００１４】
然るに、本発明の実施形態は、アクセスポイントごとのステーションごとのＷＬＡＮリンク品質測定に基づき、ステーションを望み得る最良のアクセスポイントと接続させることによって、ユーザへの満足なＷＬＡＮエクスペリエンスを容易にする。このエクスペリエンスは、一般的に使用される最善独立型メカニズムに対する改善である。
【００１５】
本発明の実施形態の利点は、マルチアクセスポイント環境におけるサービスのＷＬＡＮ品質を制御する比較的簡単な方法であって、ハンドオフ制御を制御エンティティへ与え、且つ、既存のステーションと適合する前記方法が提供される点である。ステーションのための標準更新は必要とされない。本発明の実施形態は、約１００乃至２００ミリ秒（ｍｓ）の高速なハンドオフを可能にする。
【００１６】
本発明の実施形態に従って、マルチアクセスポイント環境における無線ローカルエリアネットワーク（ＷＬＡＮ）ユーザ品質を制御する方法が、開示される。当該方法は、第１アクセスポイント（ＡＰ）、第２アクセスポイント、制御エンティティ、及びステーション（ＳＴＡ）を含む無線ローカルエリアネットワークシステムを構築し、前記第１アクセスポイントと前記第２アクセスポイントとの間に通信チャネルが構築されることと、前記ステーションを前記第１アクセスポイントへ接続することと、前記第１アクセスポイントによりリンク品質報告を生成し、前記制御エンティティへ及び前記第２アクセスポイントへ公開することと、前記第２アクセスポイントにより環境品質報告を生成し、前記制御エンティティへ及び前記第１アクセスポイントへ公開することと、前記制御エンティティにより前記第１アクセスポイントから連続した受け入れられないリンク品質報告及び品質アラームを受け取ると、アクセス制御リスト（ＭＡＣ  ＡＣＬ）を介して前記ステーションのメディアアクセスコントロール（ＭＡＣ）アドレスをブラックリストに登録すことと、前記制御エンティティにより、能動的に前記ステーションとの接続を切るよう前記第１アクセスポイントに指示することと、前記制御エンティティにより、前記受け取られた環境品質報告に基づき新しいターゲットアクセスポイントを決定することと、前記ステーションを前記新しいターゲットアクセスポイントへ接続することとを有する。
【００１７】
本発明の実施形態に従って、当該方法は、前記第１アクセスポイントから前記ステーションとの接続を能動的に切ることによって、前記ステーションに、他のアクセスポイントにローミングさせることを更に含む。
【００１８】
本発明の実施形態に従って、当該方法は、前記リンク品質報告及び前記環境品質報告に基づき前記制御エンティティによりリンク品質スコアを計算することを更に含む。
【００１９】
本発明の実施形態に従って、当該方法は、最大物理レイヤ（ＰＨＹ）レート、物理的制限ＰＨＹレート、訓練された（trained）ＴＸ  ＰＨＹレート、媒体ビジー（medium  busy）インジケータ、総可用スループット（電力節約モード（ＰＳ）オフ）、及び可用スループット（電力節約モード（ＰＳ）オン）の値に基づき前記リンク品質スコアを計算することを更に含む。
【００２０】
本発明の実施形態に従って、当該方法は、制御エンティティにより、受入可能なリンクを受け入れられないリンクから離す閾値と前記リンク品質スコアを比較することを更に含み、前記閾値は、設定可能な整数閾値である。
【００２１】
本発明の実施形態に従って、当該方法は、前記制御エンティティにより、追加のアクセスポイントを前記無線ローカルエリアネットワークシステムに組み込み、全ての不的確なアクセスポイントに、前記ブラックリストに登録されたメディアアクセスコントロール（ＭＡＣ）アドレスを知らせることを更に含む。
【００２２】
本発明の実施形態に従って、当該方法は、メディアアクセスコントロールアドレスをホワイトリストに登録するよう且つ前記ステーションがそれらのアクセスポイントのうちの１つと接続されることを可能にするよう前記新しいターゲットアクセスポイントとして適格な全てのアクセスポイントに指示することを更に含む。
【００２３】
本発明の実施形態に従って、当該方法は、少なくとも所与の期間の間前記ブラックリストを保持し、過度に頻繁なアクセスポイントのスイッチオーバーを阻止し、前記期間の経過ごとに前記ブラックリストから前記ステーションのメディアアクセスコントロール（ＭＡＣ）アドレスを削除することを更に含む。
【００２４】
本発明の実施形態に従って、当該方法は、前記ステーションを前記新しいターゲットアクセスポイントへ接続した後に前記第２アクセスポイントによりリンク品質報告を生成して前記制御エンティティへ及び前記第１アクセスポイントへ公開することと、前記ステーションを前記新しいターゲットアクセスポイントへ接続した後に前記第１アクセスポイントにより環境品質報告を生成して前記制御エンティティへ及び前記第２アクセスポイントへ公開することとを更に含む。
【００２５】
本発明の実施形態に従って、当該方法は、前記リンク品質報告を生成するようアクティブスタイルリンク評価を使用することと、前記ステーションが接続されるアクセスポイントとの強制的なデータ接続を起動することと、レイヤ２メトリクスデータを前記制御エンティティへ送ることとを更に含む。
【００２６】
本発明の実施形態に従って、当該方法は、より正確な診断をトリガするよう、試験下のリンクにおいて、前記制御エンティティによって設定された媒体可用性閾値を使用することと、前記試験下のリンクにストレスを加えさせることと、干渉、信号強度、及びＰＨＹレイヤ変則性による損失の概略を得ることと、前記制御エンティティにより、実際の観測されたスループットを物理レイヤパラメータへリンクすることとを更に含む。
【００２７】
本発明の実施形態に従って、マルチアクセスポイント環境における無線ローカルエリアネットワーク（ＷＬＡＮ）ユーザ品質を制御する無線ローカルエリアネットワークシステムが、開示される。当該システムは、第１アクセスポイント（ＡＰ）と、第２アクセスポイントであり、前記第１アクセスポイントと前記第２アクセスポイントとの間に通信チャネルが構築される、前記第２アクセスポイントと、前記第１アクセスポイント及び前記第２アクセスポイントと通信する制御エンティティとを有し、前記第１アクセスポイント及び前記第２アクセスポイントは、リンク品質報告又は環境品質報告を生成し公開し、前記制御エンティティは、前記リンク品質報告及び前記環境品質報告に基づきリンク品質スコアを計算する。
【００２８】
本発明の実施形態に従って、当該システムは、前記第１アクセスポイント及び前記第２アクセスポイントと通信するステーションを更に含み、前記第１アクセスポイントは、該アクセスポイントがプリセットされた閾値を下回るリンク品質スコアを有する場合に能動的に前記ステーションとの接続を切り、該ステーションに、前記閾値を上回るリンク品質スコアを有する他のアクセスポイントにローミングさせる。
【００２９】
本発明の実施形態に従って、さもなければＩＥＥＥ８０２．１１標準と適合するアクセスポイントは、リンク品質報告又は環境品質報告を生成し制御エンティティへ公開し、該制御エンティティからのコマンドに基づき能動的にステーションとの接続を切るソフトウェアコードを更に有する。
【００３０】
本発明の実施形態に従って、さもなければＩＥＥＥ８０２．１１標準と適合する制御エンティティは、リンク品質報告及び環境品質報告に基づきリンク品質スコアを計算し、アクセスポイントから連続した受け入れられないリンク品質報告及び品質アラームを受け取ると、アクセス制御リスト（ＭＡＣ  ＡＣＬ）を介してステーションのメディアアクセスコントロール（ＭＡＣ）アドレスをブラックリストに登録するソフトウェアコードを有する。
【００３１】
本発明の１つ以上の実施形態に従って、前記制御エンティティは、Ｗｉ−Ｆｉルータ又はアクセスポイントに組み込まれる。
【図面の簡単な説明】
【００３２】
本発明の実施形態は、図面を参照して一例として以下で更に詳細に説明される。
【図１】本発明の実施形態に従う無線ローカルエリアネットワーク（ＷＬＡＮ）システムの概略図を示す。
【図２】本発明の実施形態に従うリンク品質評価方法を説明するフローチャートを示す。
【図３】本発明の実施形態に従うマルチアクセスポイント環境におけるＷＬＡＮユーザ品質制御を説明するフローチャートを示す。  類似した又は同じ要素は、同じ参照番号により参照される。
【発明を実施するための形態】
【００３３】
当業者に明らかなように、本願で示されているブロック図は、本発明の原理を具現化する、例となるシステムコンポーネント及び／又は回路構成の概念図を表す。同様に、明らかなように、如何なるフローチャート、フロー図、状態遷移図、擬似コード、及び同様のものも、コンピュータ可読媒体において実質的に表現され、コンピュータ又はプロセッサによって、そのようなコンピュータ又はプロセッサが明示的に示されていようとなかろうと、そのように実行され得る様々なプロセスを表す。
【００３４】
図１を参照すると、無線ローカルエリアネットワーク（ＷＬＡＮ）システム１０が、本発明の実施形態に従って表されている。ＷＬＡＮシステム１０は、少なくとも第１アクセスポイント（ＡＰ）１１及び第２アクセスポイント（ＡＰ１２）と、例えばＷＬＡＮコントローラユニットのような制御エンティティ１３と、例えばエンドユーザ端末デバイス又はＷＬＡＮクライアントデバイスのような少なくとも１つのステーション（ＳＴＡ）１４と、第１アクセスポイント１１と第２アクセスポイント１２との間の通信チャネル１５とを含み得るネットワークであってよい。アクセスポイント１１及び１２の夫々は、リンク品質評価を実施することができる。制御エンティティ１３は、アクセスポイントのうちの１つ、例えば、第１アクセスポイント１１又は第２アクセスポイント１２に組み込まれ得る。夫々のアクセスポイントは、ＩＥＥＥ８０２．１１標準に従うアクセスポイントであってよい。アクセスポイント１１及び１２の夫々は、ホーム自動化ゲートウェイ（ＧＷＹ）であってもよい。アクセスポイント１１及び１２の夫々とステーション（ＳＴＡ）１４との間には、一方向リンクが構築され得る。
【００３５】
図２を参照すると、リンク品質評価方法２０が、本発明の実施形態に従って表されている。エクスペリエンスの一様に制御された品質を確かにするために、個々のアクセスポイント１１及び１２は、第１の段階で環境及び実際のリンク品質にアクセスし、第２の段階でその情報を他のアクセスポイントとやり取りすべきである。
【００３６】
環境品質評価は、例えばステーション（ＳＴＡ）１４（図１を参照）のようなクライアントデバイスの存在を必要とせず、一般的に良く理解されている。アクセスポイント１１及び１２の夫々は、例えば、バックグラウンドノイズレベル、“他のＷＬＡＮデバイス”に起因した媒体可用性、媒体可用性全般、アクセスポイント１１及び１２に集中するトラフィックに起因した媒体可用性、並びに同じチャネルにおける他のアクセスポイントの量を含む様々な項目を容易にモニタすることができる。環境品質評価は、夫々のアクセスポイント、すなわち、図１に示される第１アクセスポイント１１及び第２アクセスポイント１２がバックグラウンドで実施し、周期的に制御エンティティ１３へ報告すべきタスクである。制御エンティティ１３は、次いで、特定のＡＰ−ＳＴＡリンクが悪いと決定されると、どのアクセスポイントが“代わり”のアクセスポイントとなるのにふさわしいかを推定するよう、“バイアス”として環境品質評価を使用する。
【００３７】
リンク品質評価は、ＷＬＡＮリンクの品質を確かめるための重要な要素である。リンク品質評価は、いくつかの形で実装され得る。例えばアクセスポイント１１及び１２のようなアクセスポイントは、受動的（パッシブ）な方法で又は能動的（アクティブ）な方法でリンク品質を評価することができる。リンク品質の能動的な評価は、最も正確な解析をもたらし、一方、受動的な評価は、例えば隠れノード、非ＷＬＡＮノイズ、又はＷＬＡＮ媒体共有オーバーロードのような、“傾向線（trend  line）”エラー状態を検出する目的を果たす。リンク品質評価は、例えば信号強度又はパケット損失のような物理パラメータよりむしろ、実際のリンクの性能に基づき得る。
【００３８】
リンク品質評価に基づき、リンク品質スコアとして表され得る様々なリンク品質メトリックが、図２で表されているように導出され得る。リンク品質メトリックは、例えば、最大物理レイヤ（ＰＨＹ）レート２１、物理的制限ＰＨＹレート２２、訓練されたＴＸ  ＰＨＹレート２３、媒体ビジーインジケータ２４、総可用スループット（電力節約モード（ＰＳ）オフ）２５、及び可用スループット（電力節約モード（ＰＳ）オン）２６の値に基づき得る。トータルの達成されるスループットは、リンク品質スコアにおいて反映され得る。
【００３９】
最大ＰＨＹレート２１は、団体で交渉されたＰＨＹレート及び、よって、最大の達成可能なリンク速度である。物理的制限ＰＨＹレート２２は、所与の量の受信信号強度のための最大目標ＰＨＹレートである。物理的制限ＰＨＹレート２２は、よって、受信信号強度表示（ＲＳＳＩ）に基づく期待されるＰＨＹレートであり、空間ストリームの数に依存し得る。訓練されたＴＸ  ＰＨＹレート２３は、送信が起こるＰＨＹレートであり、ＴＸは、信号を運ぶ物理媒体を指す。媒体ビジーインジケータ２４は、他のネットワークとの媒体の共有により失われるエアタイム（airtime）の量を指す。総可用スループット（ＰＳオフ）２５は、利用可能なエアタイムに基づく利用可能なスループットの最大量である。利用可能なスループット（ＰＳオン）２６は、ＳＴＡ１４が電力節約のためにスリープモードにある記録された時間量により削減された利用可能なエアタイムに基づく最大可用スループットである。トータルの達成されるスループットは、アクティブリンクを使用するときに一般的に達成されるスループットである。
【００４０】
パッシブスタイルリンク評価は、環境品質評価と、それが一般的に同様の統計値を供給するので、組み合わされ得る。主な違いは、送信される有効なパケット及び訓練されたＴＸ  ＰＨＹレート２３を含み得る実際のデータトラフィックカウンタが、ＳＴＡ１４とＳＴＡ１４が接続されるＡＰ１１又は１２との間に存在するランダムデータトラフィックに基づき記録される点である。このアプローチによれば、トータルの達成されるスループットの決定は、アクティブリンクがその最大スループットで使用されない可能性が高いので不正確であり得、更には、ＳＴＡ１４がその全潜在能力までＷＬＡＮリンクを利用してないので電力節約技術がＰＨＹレートを押し下げているという事実により、訓練されたＴＸ  ＰＨＹレート２３はオフであり得る。パッシブモニタリングデータは、“品質低下アラーム”を構成するのに有用であり得る。これは、行動を起こす必要があり得ることを示すよう制御エンティティ１３の制御ロジックをトリガすることができる。
【００４１】
アクティブスタイルリンク評価は、パッシブスタイルリンク評価とある程度同じであるが、アクセスポイント１１又は１２とＳＴＡ１４との間の“ランダム”データフローに基づきリンクメトリクスを計算することに代えて、ＳＴＡ１４が接続されるアクセスポイント１１又は１２は強制データ接続を起動する。この接続を介して、アクセスポイント１１又は１２は、可能な限り多くのレイヤ２（Ｌ２）メトリクスデータ（例えば、パケット損失、ユーザの量）を送ろうと試みる。そうすることによって、アクセスポイント１１又は１２は、訓練されたＴＸ  ＰＨＹレート２３についての正確な値を決定することができ、更には、利用可能なスループットの正確な割合、訓練されたＴＸ  ＰＨＹレート２３及び上述された全ての他のメトリクスを決定することができる。媒体可用性閾値は、より正確な診断をトリガするためにアクティブリンク上で使用され得る。これは、試験下のインターフェイスにストレスを加えさせる。この試験の結果は、干渉、信号強度、ＰＨＹレイヤ変則性（例えば、フェーディング）による損失の概略である。このようにして、実際の観測されたスループット（及びその欠如）は、ＰＨＹレイヤパラメータとリンクされる。
【００４２】
例えば、信号強度が非常に高く、ゼロパケット損失がある場合には、信号対干渉及びノイズ比（ＳＩＮＲ；signal-to-interference-plus-noise  ratio）は依然として受け入れることができるが、リンク性能はほぼゼロである。これは、ＣＳＭＡ−ＣＡ（carrier  sense  multiple  access  with  collision  avoidance；衝突回避を伴う搬送波感知多重アクセス）プロトコルの自然要因と同様に、ＰＨＹレイヤカウンタによって表され得ない特定のタイプの干渉に起因して起こる。アクティブリンクを診断することによって、有用なパラメータが導出され、所与のアクセスポイント（ＡＰ）からクライアント（ＳＴＡ）を排除すべきか否かを決定するために使用される。然るに、リンク品質又は、ユーザエクスペリエンスの品質に基づくメトリックに夫々関連するパラメータが、使用される。
【００４３】
例えば第１アクセスポイント１１及び第２アクセスポイント１２のような夫々のアクセスポイントは、リンク品質報告を周期的に報告する。アクセスポイント１１又は１２へ接続されるＳＴＡ１４がないとき、リンク品質報告は環境品質報告になり得る。アクセスポイント１１又は１２は、如何なる場合でも、上述されたパラメータ２１乃至２６のひと揃いを報告すべきである。
【００４４】
モニタ期間が完了すると、アクセスポイント１１又は１２は、アクセスポイント識別子の表示（アクセスポイント１１又は１２の基本サービスセット識別子（ＢＳＳＩＤ；basic  service  set  identifier））によりタイムスタンプを付された報告を制御エンティティ１３へ送る。例えば、ＷＬＡＮコントローラのような、制御エンティティ１３は、次いで、得られた報告に基づきリンクスコアを計算し、そのモニタテーブルにおいてタイムスタンプとともにアクセスポイント１１又は１２ごとのリンクスコアを格納する。
【００４５】
記載される概念は、アクセスポイントが完全な測定報告のみを送ることに制限され得ない。例えば、アクセスポイント１１とアクセスポイント１２との間のリンクのような、アクセスポイント間のリンクが使用される場合には、アクセスポイントがリンクスコアを直接に計算しているときにのみ“アラーム”信号を送ることが有利であり得る。この場合に、アクセスポイントは、障害（failing）リンクスコアを、それを引き起こす対応するデバイスへのみ報告すべきである。
【００４６】
制御エンティティ１３、例えば、ＷＬＡＮコントローラは、少なくとも次のパラメータ：最大物理レイヤ（ＰＨＹ）レート２１、訓練されたＴＸ  ＰＨＹレート２３、媒体ビジーインジケータ２４、及びＴＺタイムフラクション（time  fraction）に基づき、リンク品質スコアとして表されるリンク品質メトリックを計算し得る。リンク品質メトリックは、媒体可用性の喪失により失われる性能の量を反映する。リンク品質メトリックは、本質的に、ＳＴＡ１４との接続が評価を実施するアクセスポイント１１又は１２で存在しない場合に生成される環境品質評価報告と同じである。リンク品質メトリックは、スケーリングされた性能結果に相当する。そのようなものとして、リンク品質メトリック及び、よって、リンク品質スコアは、実際の得られた性能及び改善の可能性を考慮に入れる。リンク品質スコアは、０％から１００％の間の数として与えられ得る。
【００４７】
良好な／受入可能なリンクを悪い／受け入れられないリンクから離す閾値は、設定可能な整数閾値としてモデル化され得る。それにより、閾値は、決定のアグレッシブさ（aggressiveness）を適応させるよう容易に調整され得る。例えば、良好な／受入可能なリンクは、＞４０％のリンク品質及び、よって、リンクスコアを有してよく、悪い／受け入れられないリンクは、＜４０％のリンク品質及び、よって、リンクスコアを有してよい。このようにして、制御エンティティ１３は、例えばアクセスポイント１１又はアクセスポイント１２のようなアクセスポイントが受入可能な又は受け入れられないリンク品質を報告するかどうかを判定することができる。
【００４８】
制御エンティティ１３、例えば、ＷＬＡＮコントローラがアクセスポイント１１及び１２から受け取る周期的なデータに基づき、制御エンティティ１３は、ＷＬＡＮ品質又はエクスペリエンスの時間変化する性質に対応する。
【００４９】
これより図３を参照すると、マルチアクセスポイント環境のためのＷＬＡＮユーザ品質制御アルゴリズム３０が、本発明の実施形態に従って表されている。
【００５０】
ステーション（ＳＴＡ）１４は、ステップ３１で、第１アクセスポイント１１へ接続され得る。アクセスポイント１１は、ステップ３２で、リンク品質報告を制御エンティティ１３へ、及びアクセスポイント１１が通信チャネル１５を介して接続される第２アクセスポイント１２へ公開する。ＳＴＡ１４は第２アクセスポイント１２と接続されていないので、第２アクセスポイント１２は、ステップ３３で、環境品質報告を制御エンティティ１３へ及び第１アクセスポイント１１へ公開する。制御エンティティ１３は、ステップ３４で、リンク品質スコアを計算するためにリンク品質報告を使用してよく、良好な／受入可能なリンクを悪い／受け入れられないリンクから分離する閾値とリンク品質スコアを比較し得る。閾値は、設定可能な整数閾値としてモデル化され得る。第１アクセスポイント１１及び第２アクセスポイント１２のみが図３では例として使用されているが、２つよりも多いアクセスポイントが存在してよい。また、１つよりも多いステーション（ＳＴＡ）１４が存在してよい。
【００５１】
制御エンティティ１３が連続した悪い／受け入れられないリンク品質報告及び品質アラームをアクセスポイント１１から受け取るとき、制御エンティティ１３は、簡単なアクセス制御リスト（ＭＡＣ  ＡＣＬ）を介してアクセスポイント１１においてＳＴＡ  ＭＡＣ（メディアアクセスコントロール）をブラックリストに登録することによってＳＴＡ１４を除外するようアクセスポイント１１に指示する。簡単なアクセス制御リスト（ＭＡＣ  ＡＣＬ）は、レイヤ２アクティブ制御リストであってよい。語「連続した（consecutive）」は、コントローラの反応のアグレッシブさの設定を可能にするよう整数閾値としてモデル化され得る。
【００５２】
然るに、ブラックリストは、第１アクセスポイント１１及び第２アクセスポイント１２によって受け取られるよう、ステップ３５で制御エンティティ１３によって公開され得る。ブラックリストを公開することによって、アクセスポイント１１は、アラームが報告されたＳＴＡ１４との接続を能動的に切るよう制御エンティティ１３によって指示される。
【００５３】
結果として、ＳＴＡ１４は、直ちに第１アクセスポイント１１から切り離され、ステップ３６で他のアクセスポイントを見つけるべくローミングせざるを得ない。なお、制御エンティティ１３は、ＳＴＡ１４が手当たり次第に他のアクセスポイントを選ぶことを認めない。代わりに、制御エンティティ１３は、他のアクセスポイントの環境品質報告及び、よって、リンク品質スコアを使用して、どのアクセスポイントが新しいＳＴＡ接続をホスティングする理想的な候補となるかを判定する。図３に表される場合では、これは第２アクセスポイント１２であり、よって、ＳＴＡ１４は、ステップ３７で、第２アクセスポイント１２と接続される。然るに、新しいターゲットアクセスポイント、ここでは第２アクセスポイント１２は、個々のアクセスポイント、すなわち、アクセスポイント１２の動作環境の評価に基づき決定される。
【００５４】
全ての不適格なアクセスポイントは、同じＳＴＡ  ＭＡＣブラックリストを適用するよう制御エンティティ１３によって指示され得る。ホワイトリスト・ストラテジは、新しいターゲットアクセスポイント、ここでは第２アクセスポイント１２において適用され得、一方、全ての他のアクセスポイント、ここでは第１アクセスポイント１１は、ＳＴＡ  ＭＡＣをブラックリストに登録する。制御エンティティ１３は、クライアントＭＡＣアドレスをホワイトリストに登録するよう新しいターゲットアクセスポイント１２に指示し、よって、ＳＴＡ１４がアクセスポイント１２と接続されることを可能にし得る。このようにして、ＳＴＡ１４は、理想的なターゲットアクセスポイントを除いてどこにも関連することができない。このことは、制御エンティティ１３にだけでなく個々のアクセスポイント１１及び１２にも合否（pass/fail）ロジックを組み込むことによって可能にされ得る。
【００５５】
ＳＴＡ自身のローミングは他のアクセスポイントへの頻繁なジャンプを引き起こしうるので、過度に頻繁なアクセスポイントのスイッチオーバーを防ぐよう、少なくとも所与の期間（例えば、６０秒）の間にブラックリストが保持される必要条件が存在し得る。なお、ブラックリストが保持される場合には、ＳＴＡ１４は、それが接続を構築することができず、試行を停止することを知る。
【００５６】
ＳＴＡ１４が第１アクセスポイント１１から第２アクセスポイント１２へ切り替わった後に、第１アクセスポイント１１は、これより、ステップ３８で、環境品質報告を制御エンティティ１３へ及び第２アクセスポイント１２へ公開する。アクセスポイント１２は、これより、ステップ３９で、リンク品質報告を制御エンティティ１３へ及び第１アクセスポイント１１へ公開する。ブラックリストのタイムアウトが経過すると、制御エンティティ１３は、ステップ４１で、ブラックリスト状態を削除する。続くステップ４２で、ブラックリストは、制御エンティティ１３によって非公開にされる。
【００５７】
上述されたように、基本システムは、受動的なリンク品質評価技術を利用することができる。なお、全体的なアーキテクチャは、例えば、サービスに基づく負荷バランシングのような、よりずっと広い用途を可能にする。
【００５８】
例えば、図３に表されるアルゴリズムのためのアラーム条件は、リンク品質スコア（又はリンク品質メトリック）が、頻繁なトリガを引き起こすよう、例えば６０％を下回るときに、アラームをもたらすよう構成されていてよい。この時点で、制御エンティティ１３は、状況が受け入れられないかどうか、又はターゲットサービス（例えば、ボイスコール若しくはビデオストリーミング）が依然として満足され得るかどうかを把握するためにアクティブスタイルリンク評価を実施するようターゲットアクセスポイント１１に要求することができる。アクセスポイント１１は、次いで、アクティブスタイルリンク評価を実施し、正確なトータルの達成されるスループットを制御エンティティ１３へ報告する。制御エンティティ１３は、次いで、この入力を使用して、アクセスポイントから他のステーションを除外するか、又はターゲットステーション、すなわち、ＳＴＡ１４を、１００％の環境品質を報告しているアクセスポイント、ここでは第２アクセスポイント１２へ動かすことができる。
【００５９】
様々な他の応用は、試験を実施するか又は行動を起こすようアクセスポイントに指示することを可能にするアクセスポイント間通信メカニズムと組み合わせて定性的評価により同様にして構成され得る。
【００６０】
本発明の有利な実施形態が音楽又は他のオーディオコンテンツに制限されないことは、明らかである。映画又はゲームさえ、本発明の実施形態に従うモバイルアプリケーションを用いて上述されたのと同じようにして共有され得る。
【符号の説明】
【００６１】
１０  ＷＬＡＮシステム
１１  第１アクセスポイント（ＡＰ）
１２  第２アクセスポイント（ＡＰ）
１３  制御エンティティ
１４  ステーション（ＳＴＡ）
１５  通信チャネル
２０  リンク品質評価方法
２１  最大物理レイヤ（ＰＨＹ）レート
２２  物理的制限ＰＨＹレート
２３  訓練されたＴＸ  ＰＨＹレート
２４  媒体ビジーインジケータ
２５  総可用スループット（電力節約モード（ＰＳ）オフ）
２６  可用スループット（電力節約モード（ＰＳ）オン）
３０  マルチアクセスポイント環境のためのＷＬＡＮユーザ品質制御アルゴリズム
３１  方法ステップ
３２  方法ステップ
３３  方法ステップ
３４  方法ステップ
３５  方法ステップ
３６  方法ステップ
３７  方法ステップ
３８  方法ステップ
３９  方法ステップ
４１  方法ステップ
４２  方法ステップ
【図１】
2020145704.tif 000003
【図２】
2020145704.tif 000004
【図３】
2020145704.tif 000005
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
制御エンティティが、マルチアクセスポイント無線ローカルエリアネットワークの第１アクセスポイントによって生成されたリンク品質報告を受け取ることであって、ステーションが前記第１アクセスポイントに関連することと、
前記制御エンティティが、前記マルチアクセスポイント無線ローカルエリアネットワークの少なくとも１つの第２アクセスポイントによって生成された環境品質報告を受け取ることと、
前記制御エンティティが、前記第１アクセスポイントから連続した受け入れられないリンク品質報告及び品質アラームを受け取ると、前記第１アクセスポイントに、前記ステーションのメディアアクセスコントロールアドレスをブラックリストに登録させることと、
前記制御エンティティが、前記第１アクセスポイントに能動的に前記ステーションとの接続を切らせることと、
前記制御エンティティが、前記受け取られた環境品質報告に基づいて決定された前記マルチアクセスポイント無線ローカルエリアネットワークのターゲットアクセスポイントにおいて前記ステーションをホワイトリストに登録することと
を有する方法。
【請求項２】
前記制御エンティティが、前記第１アクセスポイントに能動的に前記ステーションとの接続を切らせることによって、前記ステーションに、前記ターゲットアクセスポイントへ接続させること
を更に有する請求項１に記載の方法。
【請求項３】
前記制御エンティティが、無線ローカルエリアネットワークシステムに新たに組み込まれた追加のアクセスポイントを検出することと、
前記制御エンティティが、少なくとも１つの新たに組み込まれた不適格なアクセスポイントに、前記メディアアクセスコントロールアドレスをブラックリストに登録させることと
を更に有する請求項１又は２に記載の方法。
【請求項４】
前記制御エンティティが、新しいターゲットアクセスポイントとして適格な少なくとも１つのアクセスポイントに、メディアアクセスコントロールアドレスをホワイトリストに登録させ、且つ前記少なくとも１つの新しいターゲットアクセスポイントへの前記ステーションの接続を有効にさせること
を更に有する請求項１乃至３のうちいずれか一項に記載の方法。
【請求項５】
第１期間の間前記ブラックリストを保持することと、
前記第１期間の経過後に前記ブラックリストから前記ステーションの前記メディアアクセスコントロールアドレスを削除することと
を更に有する請求項１乃至４のうちいずれか一項に記載の方法。
【請求項６】
前記ステーションが前記ターゲットアクセスポイントへ接続された後に、
前記第１アクセスポイント及び前記ターゲットアクセスポイントのうちの少なくとも１つから、前記制御エンティティがリンク品質報告を受け取ること
を更に有する、請求項１乃至５のうちいずれか一項に記載の方法。
【請求項７】
無線ローカルエリアネットワークシステムであって、
第１アクセスポイントと、
複数のアクセスポイントと、
前記第１アクセスポイントに関連するステーションと、
制御エンティティと
を有し、
前記制御エンティティは、
前記第１アクセスポイントからリンク品質報告を受け取り、
第２アクセスポイントから環境品質報告を受け取り、
前記第１アクセスポイントから連続した受け入れられないリンク品質報告及び品質アラームを受け取ると、前記第１アクセスポイントに、前記ステーションのメディアアクセスコントロールアドレスをブラックリストに登録させ、
前記第１アクセスポイントに能動的に前記ステーションとの接続を切らせ、
前記受け取られた環境品質報告に基づいて前記複数のアクセスポイント内で決定されたターゲットアクセスポイントにおいて、前記ステーションをホワイトリストに登録するように構成された、無線ローカルエリアネットワークシステム。
【請求項８】
装置であって、
リンク品質報告及び環境品質報告を取得し、アクセスポイントから連続した受け入れられないリンク品質報告及び品質アラームを受け取ると、ステーションのメディアアクセスコントロールアドレスをブラックリストに登録するように構成されたプロセッサを有し、
前記プロセッサは、更に、
前記アクセスポイントに能動的に前記ステーションとの接続を切らせ、
前記環境品質報告に基づいて決定されたターゲットアクセスポイントにおいて前記ステーションをホワイトリストに登録するように構成された、装置。
【請求項９】
前記プロセッサは、更に、
第１期間の間、前記ステーションの前記メディアアクセスコントロールアドレスを前記ブラックリスト内に保持し、
前記第１期間の経過後に前記ブラックリストから前記ステーションの前記メディアアクセスコントロールアドレスを削除するように構成された、請求項８に記載の装置。
【請求項１０】
プロセッサを有するアクセスポイントであって、ステーションが前記アクセスポイントに関連し、前記プロセッサは、
リンク品質報告を生成し、
複数のアクセスポイントによって生成された環境品質報告を受け取り、
前記アクセスポイントにおいて連続した受け入れられないリンク品質報告及び品質アラームを検出すると、前記ステーションのメディアアクセスコントロールアドレスをブラックリストに登録し、
能動的に前記ステーションとの接続を切り、
前記受け取られた環境品質報告に基づいて前記複数のアクセスポイント内で決定されたターゲットアクセスポイントにおいて、前記ステーションをホワイトリストに登録するように構成された、アクセスポイント。
【請求項１１】
プロセッサを有するアクセスポイントであって、ステーションが第１アクセスポイントに関連し、前記プロセッサは、
前記第１アクセスポイントによって生成されたリンク品質報告を受け取り、
環境品質報告を生成し、
前記第１アクセスポイントから連続した受け入れられないリンク品質報告及び品質アラームを受け取ると、前記第１アクセスポイントに、前記ステーションのメディアアクセスコントロールアドレスをブラックリストに登録させ、
前記第１アクセスポイントに能動的に前記ステーションとの接続を切らせ、
前記生成された環境品質報告に基づいて、前記アクセスポイントにおいて前記ステーションをホワイトリストに登録するように構成された、アクセスポイント。
【請求項１２】
前記プロセッサは、更に、無線ローカルエリアネットワークに新たに組み込まれた追加のアクセスポイントを検出し、且つ少なくとも１つの新たに組み込まれたアクセスポイントに、前記メディアアクセスコントロールアドレスをブラックリストに登録させるように構成された、請求項１０又は１１に記載のアクセスポイント。
【請求項１３】
前記プロセッサは、更に、新しいターゲットアクセスポイントとして適格な少なくとも１つのアクセスポイントに、前記メディアアクセスコントロールアドレスをホワイトリストに登録させ、且つ前記少なくとも１つの新しいターゲットアクセスポイントへの前記ステーションの接続を有効にさせるように構成された、請求項１０乃至１２のうちいずれか一項に記載のアクセスポイント。
【請求項１４】
前記プロセッサは、更に、
第１期間の間、前記ステーションの前記メディアアクセスコントロールアドレスを前記ブラックリスト内に保持し、
前記第１期間の経過後に前記ブラックリストから前記ステーションの前記メディアアクセスコントロールアドレスを削除するように構成された、請求項１０乃至１３のうちいずれか一項に記載のアクセスポイント。
【手続補正２】
【補正対象書類名】明細書
【補正対象項目名】００６０
【補正方法】変更
【補正の内容】
【００６０】
本発明の有利な実施形態が音楽又は他のオーディオコンテンツに制限されないことは、明らかである。映画又はゲームさえ、本発明の実施形態に従うモバイルアプリケーションを用いて上述されたのと同じようにして共有され得る。
上記の実施形態に加えて、以下の付記を開示する。
（付記１）
第１アクセスポイント、少なくとも１つの第２アクセスポイント、制御エンティティ、及びステーションを含むマルチアクセスポイント無線ローカルエリアネットワーク環境におけるエクスペリエンスの無線ローカルエリアネットワーク（ＷＡＮ）ユーザ品質を制御する方法であって、前記第１アクセスポイントと前記少なくとも１つの第２アクセスポイントとの間に通信チャネルが構築され、前記ステーションが前記第１アクセスポイントに関連する、前記方法において、
前記制御エンティティが、前記第１アクセスポイントによって生成され公開されたリンク品質報告を受け取ることと、
前記制御エンティティが、前記少なくとも１つの第２アクセスポイントによって生成され公開された環境品質報告を受け取ることと、
前記制御エンティティが、該制御エンティティにより前記第１アクセスポイントから連続した受け入れられないリンク品質報告及び品質アラームを受け取ると、前記第１アクセスポイントに、アクセス制御リストを介して前記ステーションのメディアアクセスコントロール（ＭＡＣ）アドレスをブラックリストに登録させることと、
前記制御エンティティが、能動的に前記ステーションとの接続を切るよう前記第１アクセスポイントに指示することと、
前記制御エンティティが、前記受け取られた環境品質報告に基づき、前記少なくとも１つの第２アクセスポイントのうちの少なくとも１つを、前記ステーションを接続する新しいターゲットアクセスポイントとして決定することと、
前記制御エンティティが、前記少なくとも１つの第２アクセスポイントのうちの前記決定された少なくとも１つにおいて前記ステーションをホワイトリストに登録することと
を有する方法。
（付記２）
前記制御エンティティが、能動的に前記ステーションとの接続を切るよう前記第１アクセスポイントに指示することによって、前記ステーションに、前記少なくとも１つの第２アクセスポイントの中の少なくとも１つの新しいターゲットアクセスポイントへ接続させること
を更に有する付記１に記載の方法。
（付記３）
前記制御エンティティが、前記リンク品質報告及び前記環境品質報告に基づきリンク品質スコアを計算すること
を更に有する付記１又は２に記載の方法。
（付記４）
前記制御エンティティが、最大物理レイヤ（ＰＨＹ）レート、物理的制限ＰＨＹレート、訓練された送信ＰＨＹレート、媒体ビジーインジケータ、総可用スループット（電力節約モード（ＰＳ）オフ）、及び可用スループット（電力節約モード（ＰＳ）オン）の値に基づき前記リンク品質スコアを計算すること
を更に有する付記３に記載の方法。
（付記５）
前記制御エンティティが、受入可能なリンクを受け入れられないリンクから離す閾値と前記リンク品質スコアを比較することを更に有し、前記閾値は、設定可能な整数閾値である、
付記３又は４に記載の方法。
（付記６）
前記制御エンティティが、前記無線ローカルエリアネットワーク環境に新たに組み込まれた追加のアクセスポイントを検出することと、
前記制御エンティティが、少なくとも１つの新たに組み込まれた不適格なアクセスポイントに、前記ブラックリストに登録されたメディアアクセスコントロール（ＭＡＣ）アドレスを知らせることと
を更に有する付記１乃至５のうちいずれか一に記載の方法。
（付記７）
前記制御エンティティが、メディアアクセスコントロールアドレスをホワイトリストに登録するよう且つ前記少なくとも１つの新しいターゲットアクセスポイントへの前記ステーションの接続を有効にするよう新しいターゲットアクセスポイントとして適格な少なくとも１つのアクセスポイントに指示すること
を更に有する付記５に記載の方法。
（付記８）
第１期間の間前記ブラックリストを保持することと、
前記第１期間の経過後に前記ブラックリストから前記ステーションのメディアアクセスコントロール（ＭＡＣ）アドレスを削除することと
を更に有する付記１乃至７のうちいずれか一に記載の方法。
（付記９）
第１アクセスポイント、少なくとも１つの第２アクセスポイント、ステーション、及び制御エンティティを含むマルチアクセスポイント無線ローカルエリアネットワーク環境におけるエクスペリエンスの無線ローカルエリアネットワーク（ＷＡＮ）ユーザ品質を制御するデータを供給する方法であって、前記第１アクセスポイントと前記少なくとも１つの第２アクセスポイントとの間に通信チャネルが構築され、前記制御エンティティが請求項１乃至８のうちいずれか一項に記載の方法を実施するよう構成され、該方法は、
前記ステーションが新しいターゲットアクセスポイントへ接続された後に、
前記第１アクセスポイント及び前記少なくとも１つの第２アクセスポイントのうちの少なくとも１つが、リンク品質報告を生成し、該リンク品質報告を少なくとも前記制御エンティティへ供給すること
を有する、方法。
（付記１０）
前記リンク品質報告を生成するようアクティブスタイルリンク評価を使用することと、
前記ステーションが接続されるアクセスポイントとのデータ接続を強いることと、
レイヤ２メトリクスデータを前記制御エンティティへ送ることと
を更に有する付記９に記載の方法。
（付記１１）
より正確な診断をトリガするよう、試験下のリンクにおいて、前記制御エンティティによって設定された媒体可用性閾値を使用することと、
前記試験下のリンクにストレスを加えさせることと、
干渉、信号強度、及びＰＨＹレイヤ変則性による損失の概略を得ることと、
前記制御エンティティにより、実際の観測されたスループットを物理レイヤパラメータへリンクすることと
を更に有する付記１０に記載の方法。
（付記１２）
マルチアクセスポイント環境における無線ローカルエリアネットワーク（ＷＬＡＮ）ユーザ品質を制御する無線ローカルエリアネットワークシステムであって、
第１アクセスポイント（ＡＰ）と、
第２アクセスポイントであり、前記第１アクセスポイントと前記第２アクセスポイントとの間に通信チャネルが構築される、前記第２アクセスポイントと、
前記第１アクセスポイント及び前記第２アクセスポイントと通信する制御エンティティと
を有し、
前記第１アクセスポイント及び前記第２アクセスポイントは、リンク品質報告又は環境品質報告を生成し公開し、
前記制御エンティティは、前記リンク品質報告及び前記環境品質報告に基づきリンク品質スコアを計算する、無線ローカルエリアネットワークシステム。
（付記１３）
前記第１アクセスポイント及び前記第２アクセスポイントと通信するステーションを更に有し、
前記第１アクセスポイントは、該アクセスポイントがプリセットされた閾値を下回るリンク品質スコアを有する場合に能動的に前記ステーションとの接続を切り、該ステーションに、前記閾値を上回るリンク品質スコアを有する他のアクセスポイントにローミングさせる、
付記１２に記載の無線ローカルエリアネットワークシステム。
（付記１４）
リンク品質報告又は環境品質報告を生成し制御エンティティへ公開し、該制御エンティティからのコマンドに基づき能動的にステーションとの接続を切るソフトウェアコードを有するアクセスポイント。
（付記１５）
リンク品質報告及び環境品質報告に基づきリンク品質スコアを計算し、アクセスポイントから連続した受け入れられないリンク品質報告及び品質アラームを受け取ると、アクセス制御リストを介してステーションのメディアアクセスコントロール（ＭＡＣ）アドレスをブラックリストに登録するソフトウェアコードを有する制御エンティティ。
【外国語明細書】
2020145704000001.pdf